(57)【特許請求の範囲】
【請求項１】
開口を有する本体部と、
前記開口を閉じる蓋部と、
前記蓋部が閉じられた際に、前記蓋部と前記本体部とに跨って貼り付けられるラベルと
を備え、
前記本体部、又は前記蓋部のうち少なくともいずれか一方は、切込部を有し、
前記切込部は、前記本体部の縁部又は前記蓋部の縁部の前記ラベルが貼り付けられる位置に形成され、
前記切込部は、
第１切込要素と、
前記第１切込要素に対向する第２切込要素と
を有し、
前記第１切込要素と前記第２切込要素との双方は、前記本体部又は前記蓋部のいずれかに配置され、
前記第１切込要素は、
前記本体部の前記縁部の辺の一部又は前記蓋部の前記縁部の辺の一部である第１横要素と、
前記第１横要素から前記第２切込要素に向かってのびる第１縦要素と
を有し、
前記第２切込要素は、
前記第１横要素から離間した位置に対向して配置され、前記第１横要素に平行な第２横要素と、
前記第２横要素から前記第１切込要素に向かってのびる第２縦要素と
を有する、梱包材。
【請求項２】
前記切込部は、前記ラベルによって覆われる、請求項１に記載の梱包材。
【請求項３】
前記切込部は、前記蓋部の前記縁部の前記ラベルが貼り付けられる位置に形成され、
前記第１切込要素は、前記第１縦要素の前記第１横要素とは逆の端部から、前記第１横要素に対して平行にのびる補助要素を更に有する、請求項１又は請求項２に記載の梱包材。
【請求項４】
前記切込部は、前記本体部の前記縁部の前記ラベルが貼り付けられる位置に形成され、
前記第２切込要素は、前記第２縦要素の前記第２横要素とは逆の端部から、前記第２横要素に対して平行にのびる補助要素を更に有する、請求項１又は請求項２に記載の梱包材。
【請求項５】
前記切込部は、前記蓋部の前記縁部の前記ラベルが貼り付けられる位置に形成され、
前記蓋部は、開封部を有し、
前記開封部は、
前記第１横要素に対して平行に延びる一対のミシン目部と、
前記一対のミシン目部の間に形成されている切断部と
を有し、
前記第２切込要素は、前記開封部と前記第１切込要素との間に位置する、請求項１から請求項４のいずれか１項に記載の梱包材。
【発明の詳細な説明】
【技術分野】
【０００１】
本発明は、梱包材に関する。
【背景技術】
【０００２】
特許文献１に記載の不正開封防止ラベルは、容器本体と容器の蓋とに跨って貼り付けられる。ラベルは、容器との間に形成された接着剤層によって貼り付けられる。ラベルは、容器の開封時に剥がされる。ラベルには、容器から剥がされた際に破損が生じる。この結果、特許文献１に記載の不正開封防止ラベルは、容器の不正開封を防止して、容器本体に収容される被収容物の入れ替え等を防止する。
【先行技術文献】
【特許文献】
【０００３】
【特許文献１】特開平８−２５４９５５号公報
【発明の概要】
【発明が解決しようとする課題】
【０００４】
しかしながら、特許文献１に記載のラベル（不正防止ラベル）は、例えば、接着層（接着剤層）が切断されることによっても剥がされる。接着層は、例えば、ペーパーナイフ、又はカッターナイフのような刃物によって切断可能である。接着層が切断されて剥がされた場合に、ラベルは破損し難い。したがって、梱包材（容器）は、再封緘可能である。再封緘では、新たな接着層によってラベルを梱包材に再度貼り付けて、梱包材が封緘される。この結果、梱包材は、不正開封されるおそれがある。
【０００５】
本発明は上記課題に鑑みてなされたものであり、その目的は、再封緘を困難にして、不正開封を抑制できる梱包材を提供することにある。
【課題を解決するための手段】
【０００６】
本発明の梱包材は、本体部と、蓋部と、ラベルとを備える。前記本体部は、開口を有する。前記蓋部は、前記開口を閉じる。前記ラベルは、前記蓋部が閉じられた際に、前記蓋部と前記本体部とに跨って貼り付けられる。前記本体部、又は前記蓋部のうち少なくともいずれか一方は、切込部を有する。前記切込部は、前記ラベルが貼り付けられる位置に形成される。
【発明の効果】
【０００７】
本発明の梱包材によれば、再封緘を困難にして、不正開封を抑制できる。
【図面の簡単な説明】
【０００８】
【図１】本発明の実施形態に係る梱包材を示す斜視図である。
【図２】図１の梱包材が展開されたシートを示す図である。
【図３】図２の背板蓋部を示す拡大図である。
【図４】梱包材の開封時の背板蓋部を示す斜視図である。
【図５】本発明の他の実施形態に係る梱包材の開封時の背板蓋部を示す斜視図である。
【発明を実施するための形態】
【０００９】
以下、図面を参照して本発明に係る実施形態を説明する。ただし、本発明は、以下の実施形態に限定されない。なお、図中、同一、又は相当部分については、同一の参照符号を付して説明を繰り返さない。
【００１０】
図１は、本発明の実施形態に係る梱包材１を示す斜視図である。図１に示すように、梱包材１は、矩形状の箱体に形成される。梱包材１は、側板部２と、側板部３と、前板部４と、背板部５と、底板部６と、蓋部７と、ラベル９とを備える。側板部２、３と、前板部４と、背板部５と、底板部６と、蓋部７とは、段ボールのような紙製である。梱包材１は、被梱包物の梱包に用いられる。被梱包物は、例えば、トナーカートリッジのような交換部品である。
【００１１】
図１において、前板部４が梱包材１の外側を向く方向を前方とし、前後方向を規定する。また、前板部４に向かって左手側を左方とし、左右方向を規定する。また、前後方向、及び左右方向と直交する方向を上下方向と規定する。
【００１２】
梱包材１は、矩形の箱状に形成される。側板部２、３と、前板部４と、背板部５と、底板部６とは、本体部１１を構成する。本体部１１は、開口１２を有する。本実施形態の本体部１１は、上面に開口１２を有する。蓋部７は、開口１２を閉じる。
【００１３】
ラベル９は、蓋部７が閉じられた際に、蓋部７と本体部１１とに跨って貼り付けられる。本実施形態のラベル９は、矩形のシート状に形成される。ラベル９は、表面部９ａと、裏面部９ｂとを有する。裏面部９ｂは、表面部９ａに対向する。表面部９ａは、例えば、ポリエチレンやＰＥＴのような樹脂製である。裏面部９ｂは、例えば、糊のような接着剤から形成される。
【００１４】
図２は、図１の梱包材１が展開されたシート１０を示す図である。詳しくは、図２のシート１０は、梱包材１の外表面を示す図である。図２では、前板部４を基準として、左右方向、及び上下方向を規定する。なお、図２では、図１に示すラベル９が示されていない。
【００１５】
梱包材１は、図２に示す鎖線でシート１０を折り曲げて形成される。また、梱包材１は、シート１０の一部を接着層によって接着して形成される。接着層は、例えば、糊のような接着剤から形成される。シート１０の厚さは、例えば、５ｍｍである。
【００１６】
シート１０は、左右方向に沿ってのびる鎖線によって、側部１１ａと、底板部６と、蓋部７とに区分される。側部１１ａは、側板部２、３と、前板部４と、背板部５と、接着部８とから構成される。接着部８と、背板部５と、側板部２と、前板部４と、側板部３とは、この順に側部１１ａの左方から右方に連接している。
【００１７】
接着部８は、所定の幅に形成される。接着部８の外表面には、接着層が形成される。接着層は、例えば、塗布処理のような積層処理によって形成される。接着部８は、梱包材１を組み立てる際に、接着層によって側板部３の内面に接着される。なお、接着部８は、接着部８の内表面に接着層が形成される態様であってもよい。接着部８は、内表面に接着層が形成された場合に、接着層によって側板部３の外表面に接着される。
【００１８】
底板部６は、背板底部６５と、側板底部６２と、前板底部６４と、側板底部６３とから構成される。背板底部６５は、背板部５の下方に連接する。側板底部６２は、側板部２の下方に連接する。前板底部６４は、前板部４の下方に連接する。側板底部６３は、側板部３の下方に連接する。
【００１９】
底板部６を組み立てる際には、まず、側板底部６２と、側板底部６３とが折り曲げられた後に、背板底部６５が折り曲げられる。次に、前板底部６４が折り曲げられる。背板底部６５の先端部は、凹部を有する。前板底部６４の先端部は、前板底部６４が折り曲げられた際に、背板底部６５の凹部を介して背板底部６５の内側に挿入される。この結果、側板底部６２、側板底部６３、前板底部６４、及び背板底部６５は、底板部６を構成する。なお、底板部６は、前板底部６４の先端部の外表面に接着層が形成され、前板底部６４の先端部と背板底部６５の内表面とが接着される態様であってもよい。
【００２０】
蓋部７は、背板蓋部７５と、側板蓋部７２と、前板蓋部７４と、側板蓋部７３とから構成される。背板蓋部７５は、背板部５の上方に連接する。側板蓋部７２は、側板部２の上方に連接する。前板蓋部７４は、前板部４の上方に連接する。側板蓋部７３は、側板部３の上方に連接する。
【００２１】
背板蓋部７５は、係合部７５ａ、７５ｂを有する。係合部７５ａ、７５ｂは、背板蓋部７５の先端部から突出して形成される。係合部７５ａは、先端部が外方（右方）に屈折するＬ字状に形成される。係合部７５ｂは、先端部が外方（左方）に屈折するＬ字状に形成される。また、前板蓋部７４は、開口７４ａ、７４ｂを有する。開口７４ａ、７４ｂは、前板蓋部７４の基端部に形成される。開口７４ａには、係合部７５ａが挿入される。開口７４ｂには、係合部７５ｂが挿入される。
【００２２】
蓋部７を組み立てる際には、まず、側板蓋部７２、７３が折り曲げられた後に、前板蓋部７４が折り曲げられる。次に、背板蓋部７５が折り曲げられる。背板蓋部７５が折り曲げられる際に、係合部７５ａ、７５ｂは、開口７４ａ、７４ｂに挿入される。係合部７５ａ、７５ｂの先端部は、開口７４ａ、７４ｂに挿入される際に折り曲げられる。したがって、係合部７５ａ、７５ｂの先端部は、前板蓋部７４の内側で開いて、前板蓋部７４の内表面に係合する。なお、蓋部７は、前板蓋部７４の基端部の外表面に接着層が形成され、前板蓋部７４の基端部と背板蓋部７５の先端部とが接着される態様であってもよい。
【００２３】
図３は、図２の背板蓋部７５を示す拡大図である。図３に示すように、本実施形態の蓋部７は、開封部７６と、切込部７７とを更に有する。開封部７６は、一対のミシン目部７６ａと、切断部７６ｂとを有する。ミシン目部７６ａは、背板蓋部７５に形成される。ミシン目部７６ａは、切込成形によって左右方向に沿って形成される。ミシン目部７６ａは、背板蓋部７５の左右の縁にわたって形成される。ミシン目部７６ａは、背板蓋部７５の前後方向の中央部に形成される。切断部７６ｂは、ミシン目部７６ａが形成されることによって、ミシン目部７６ａの間に形成される。
【００２４】
切込部７７は、背板蓋部７５に形成される。切込部７７は、図１に示すラベル９が貼り付けられる位置に形成される。切込部７７は、例えば、背板蓋部７５の先端部（縁部）に形成される。また、切込部７７は、背板蓋部７５の左右方向の中央部に形成される。切込部７７は、切込成形によって形成される。
【００２５】
本実施形態の切込部７７は、第１切込要素７８と、第２切込要素７９とを有する。第２切込要素７９は、第１切込要素７８に対向する。本実施形態の第１切込要素７８は、背板蓋部７５の中央部に向かって開放されたＵ字状に形成される。一方、本実施形態の第２切込要素７９は、背板蓋部７５の先端部の辺に向かって開放されたＵ字状に形成される。
【００２６】
第１切込要素７８は、第１横要素７８ａと、一対の第１縦要素７８ｂとを有する。本実施形態の第１横要素７８ａは、背板蓋部７５の先端部の辺の一部である。第１縦要素７８ｂは、第１横要素７８ａから背板蓋部７５の中央部に向かってのびる。また、本実施形態の第１切込要素７８は、一対の補助要素７８ｃを更に有する。補助要素７８ｃは、第１縦要素７８ｂの第１横要素７８ａとは逆の端部から左右方向に沿ってのびる。
【００２７】
第２切込要素７９は、第２横要素７９ａと、一対の第２縦要素７９ｂとを有する。第２横要素７９ａは、開封部７６と第１切込要素７８との間に形成される。第２横要素７９ａは、左右方向に沿ってのびる。第２横要素７９ａは、背板蓋部７５の先端部の辺と平行にのびる。第２縦要素７９ｂは、第２横要素７９ａの各端部から背板蓋部７５の先端部の辺に向かってのびる。なお、第２縦要素７９ｂは、例えば、第１縦要素７８ｂに接続される態様であってもよい。
【００２８】
続いて、梱包材１によって被梱包物を梱包する梱包方法について説明する。本実施形態の梱包材１は、シート１０を折り曲げて形成される。まず、接着部８と側板部３とを接着し、シート１０を筒状に形成する。次に、側板底部６２、６３、背板底部６５、及び前板底部６４を順に折り曲げて、底板部６を形成する。底板部６が形成された後に、上面開放の梱包材１の内部に被梱包物が載置される。
【００２９】
次に、側板蓋部７２、７３、前板蓋部７４、及び背板蓋部７５を順に折り曲げて、蓋部７を形成する。蓋部７を形成する際には、前板蓋部７４の開口７４ａ、７４ｂに背板蓋部７５の係合部７５ａ、７５ｂが係合される。次に、図１を参照して説明したように、蓋部７と前板部４とに跨ってラベル９が貼り付けられる。切込部７７は、ラベル９が貼り付けられる際に、ラベル９によって覆われる。この結果、梱包材１が封緘される。なお、梱包材１は、開封部７６の切断部７６ｂがミシン目部７６ａに沿って切断されることによって開封される。
【００３０】
図４は、梱包材１の開封時の背板蓋部７５を示す斜視図である。続いて、図４を参照して、ラベル９を剥がして梱包材１を不正開封する際に、切込部７７に作用する力について説明する。図４に示すように、ラベル９は、梱包材１が不正開封される際に、背板蓋部７５から引き剥がされる。ラベル９が引き剥がされた際に、切込部７７は、ラベル９の裏面部９ｂに引っ張れる。この結果、ラベル９を引き剥がした際には、切込部７７が破損する。
【００３１】
また、ラベル９は、裏面部９ｂを刃物で切断して、梱包材１から剥がすことも可能である。裏面部９ｂは、表面部９ａと背板蓋部７５との間に挿入される刃物によって切断される。刃物は、例えば、ペーパーナイフ、又はカッターナイフである。
【００３２】
裏面部９ｂを切断する場合に、刃物には、裏面部９ｂを切断するための力が加えられる。切込部７７は、裏面部９ｂに接着されている。したがって、刃物が裏面部９ｂを切断する力は、切込部７７にも作用する。この結果、刃物によって裏面部９ｂを切断する際にも、切込部７７が破損する。
【００３３】
図１から図４を参照して説明したように、本実施形態の梱包材１によれば、ラベル９を剥がした際に、切込部７７が破損する。したがって、接着剤を用いて新たな裏面部９ｂを形成して、梱包材１にラベル９を貼り付けても、ラベル９の表面に凹凸が生じて、梱包材１の不正開封の形跡を目視にて確認できる。この結果、本実施形態の梱包材１は、梱包材１の再封緘を困難にして、梱包材１の不正開封を抑制でき、梱包材１に収容される被梱包物の入れ替え等を防止できる。
【００３４】
本実施形態では、ラベル９が背板蓋部７５の側から剥がされる。ラベル９が背板蓋部７５の側から剥がされる場合に、切込部７７は、背板蓋部７５の中央部側から背板蓋部７５の前端部に向かって捲れるように破損する。なお、ラベル９が前板部４の側から剥がされる場合に、切込部７７は、背板蓋部７５の前端部側から背板蓋部７５の中央部に向かって捲れるように破損する。
【００３５】
以上、図１から図４を参照して、本実施形態に係る梱包材１について説明した。但し、本発明は、上記の実施形態に限られるものではなく、その要旨を逸脱しない範囲で種々の態様において実施することが可能である。
【００３６】
例えば、本発明の実施形態では、第１切込要素７８が背板蓋部７５の中央部に向かって開放されたＵ字状に形成されたが、本発明は、これに限定されない。第１切込要素７８は、背板蓋部７５の先端部の辺に向かって開放されたＵ字状に形成されてもよい。また、例えば、本発明の実施形態では、第２切込要素７９が背板蓋部７５の先端部の辺に向かって開放されたＵ字状に形成されたが、本発明はこれに限定されない。第２切込要素７９は、背板蓋部７５の中央部に向かって開放されたＵ字状に形成されてもよい。
【００３７】
また、例えば、本発明の実施形態では、切込部７７が背板蓋部７５に形成されたが、本発明はこれに限定されない。図５は、本発明の他の実施形態に係る梱包材１の背板蓋部７５を示す斜視図である。図５に示すように、切込部７７は、前板部４に形成されてもよい。
【００３８】
図５に示す切込部７７は、前板部４の上側の縁部に形成される。切込部７７の第１切込要素７８は、前板部４の中央部に向かって開放されたＵ字状に形成される。一方、第２切込要素７９は、前板部４の上側の縁部の辺に向かって開放されたＵ字状に形成される。なお、第１切込要素７８は、前板部４の上側の縁部の辺に向かって開放されたＵ字状に形成され、第２切込要素７９は、前板部４の中央部に向かって開放されたＵ字状に形成されてもよい。
【００３９】
第１切込要素７８の第１横要素７８ａは、前板部４の先端部の辺の一部である。第１縦要素７８ｂは、第１横要素７８ａから前板部４の中央部に向かってのびる。第２切込要素７９の第２横要素７９ａは、前板部４の上端部に形成される。第２横要素７９ａは、左右方向に沿ってのびる。第２横要素７９ａは、前板部４の上側の縁部の辺と平行にのびる。第２縦要素７９ｂは、第２横要素７９ａの各端部から前板部４の上側の縁部の辺に向かってのびる。なお、第２切込要素７９は、一対の補助要素７９ｃを更に有してもよい。補助要素７９ｃは、左右方向に沿ってのびる。
【００４０】
図５に示す実施形態では、ラベル９が背板蓋部７５の側から剥がされる。ラベル９が背板蓋部７５の側から剥がされる場合に、切込部７７は、前板部４の上側の縁部側から前板部４の中央部に向かって捲れるように破損する。なお、ラベル９が前板部４の側から剥がされる場合に、切込部７７は、前板部４の中央部側から前板部４の上側の縁部に向かって捲れるように破損する。
【００４１】
図５に示す実施形態の梱包材１によれば、ラベル９を剥がした際に、切込部７７に破損が生じる。したがって、接着剤を用いて新たな裏面部９ｂを形成して、梱包材１にラベル９を貼り付けても、ラベル９の表面に凹凸が生じて、梱包材１の不正開封の形跡を目視にて確認できる。この結果、梱包材１の再封緘を困難にして、梱包材１の不正開封を抑制でき、梱包材１に収容される被梱包物の入れ替え等を防止できる。
【００４２】
また、切込部７７は、背板蓋部７５、及び前板部４の双方に形成されてもよい。切込部７７が背板蓋部７５、及び前板部４の双方に形成された場合に、梱包材１にラベル９を再度貼り付けても、ラベル９の表面の広範囲に凹凸が生じる。したがって、梱包材１の不正開封の形跡を目視にてより確実に確認できる。
【００４３】
また、例えば、本発明の実施形態では、切込部７７は、Ｕ字状に形成されたが、本発明はこれに限定されない。切込部７７は、前板部４、又は背板蓋部７５の強度を低下させない範囲で、ラベル９がいずれの側から剥がされた場合であっても、容易に破損する形状であることが望ましい。切込部７７は、例えば、円弧状に形成された第１縦要素７８ｂ、第２横要素７９ａ、又は第２縦要素７９ｂを有してもよい。
【００４４】
なお、図面は、理解しやすくするために、それぞれの構成要素を主体に模式的に示しており、図示された各構成要素の厚み、長さ等は、図面作成の都合上から実際とは異なる。また、上記の実施形態で示す各構成要素の材質、及び形状等は一例であって、特に限定されるものではなく、本発明の効果から実質的に逸脱しない範囲で種々の変更が可能である。
【産業上の利用可能性】
【００４５】
本発明は、梱包材に関するものであり、梱包材の不正開封の防止に有用である。
【符号の説明】
【００４６】
１        梱包材
９        ラベル
１１      本体部
１２      開口
７７      切込部
【図１】
0006589742.tif 000002
【図２】
0006589742.tif 000003
【図３】
0006589742.tif 000004
【図４】
0006589742.tif 000005
【図５】
0006589742.tif 000006